(57)【要約】【課題】折り畳んである各構成要素を展開するのみの簡単な作業で組み立てが殆ど完了し、かつ強度的にも十分であること。【解決手段】両外端側の部位を屈曲部で立ち上げ可能に構成した床部材２と、最上部の屋根部材８と、その直下に配した、両外端側の部位を屈曲部で下方に屈曲可能に構成した天井部材５と、床部材２と天井部材５との間で、両外端と中央部近傍との間を移動可能に構成した可動壁３、３と、外端を各々その一方の可動壁３の側部側にヒンジ結合した二つの可動側壁７、７であって、その内端を天井部材５と床部材２の中央部を幅方向に移動可能に構成した可動側壁７、７と、外端を各々その他方の可動壁３の側部側にヒンジ結合した二つの可動側壁７、７であって、その内端を天井部材５と床部材２の中央部を幅方向に移動可能に構成した可動側壁７、７と、で構成する。【選択図】  図９
2011137353.tif 000002
【特許請求の範囲】
【請求項１】
一辺側と他辺側の途中で該一辺側を屈曲起立可能に構成した床部材であって、該一辺側及び他辺側に直交する両側辺上面に下部レール溝を構成した床部材と、
一辺側と他辺側の途中で該一辺側を屈曲垂下可能に構成した天井部材であって、該一辺側及び他辺側に直交する両側辺下面に上部レール溝を構成した天井部材と、
該床部材の該他辺側及び該天井部材の他辺側の間に立ち上げて配した固定壁と、
該床部材の該固定壁の両端内側の位置に立ち上げた柱部材と、
該両柱部材の間の該床部材を構成する横架材上に配した下部レール溝及び該両柱部材の間の該天井部材を構成する横架材の下面に構成した上部レール溝と、
該下部レール溝に配した二つの下部可動部材であって、各々該下部レール溝に沿ってその中央部から対応する柱部材までの間を移動自在であるように構成した下部可動部材及び該上部レール溝に配した二つの上部可動部材であって、各々該上部レール溝に沿ってその中央部から対応する柱部材までの間を移動自在であるように構成した上部可動部材と、
該一方の下部可動部材にその一端下部を、該一方の下部可動部材と上下対応する該一方の上部可動部材にその一端上部を、各々ヒンジ結合した、前記固定壁に直交する他の一方の側辺に移動して配される可動側壁であって、他端を前記固定壁に対面する可動壁の一端側にヒンジ結合した可動側壁と、
該他方の下部可動部材にその一端下部を、該他方の下部可動部材と上下対応する該他方の上部可動部材にその一端上部を、各々ヒンジ結合した、前記固定壁に直交する他の他方の側辺に移動して配される可動側壁であって、他端を前記固定壁に対面する該可動側壁の他端側にヒンジ結合した可動側壁と、
該両可動側壁とヒンジ結合した可動壁であって、その両端下部及び両端上部に、それぞれ前記床部材の下部レール溝及び前記天井部材の上部レール溝に移動自在に装入する従動部材を備えた可動壁と、
前記両柱部材の上端に固定した屋根部材であって、前記天井部材の一辺側と他辺側の途中の該一辺側を屈曲垂下可能にした部位より外方までその先端を延長した屋根部材と、
で構成した折畳式簡易建物。
【請求項２】
前記固定壁を第二の可動壁に代え、
前記両柱部材の中心間をつなぐ平面を対称の中心面として対称状態に、
一辺側と他辺側の途中で該一辺側を屈曲起立可能に構成した、前記床部材から対称他側に延長する第二の床部材であって、該一辺側及び他辺側に直交する両側辺上面に下部レール溝を構成した第二床部材と、
一辺側と他辺側の途中で該一辺側を屈曲垂下可能に構成した、前記天井部材から対称他側に延長する第二の天井部材であって、該一辺側及び他辺側に直交する両側辺下面に上部レール溝を構成した第二の天井部材と、
前記一方の下部可動部材にその一端下部を、該一方の下部可動部材と上下対応する前記一方の上部可動部材にその一端上部を、各々ヒンジ結合した、前記可動壁に直交する他の一方の側辺に移動して配される第二の可動側壁であって、他端を前記可動壁に対面する前記固定壁から代えた第二の可動壁の一端側にヒンジ結合した第二の可動側壁と、
前記他方の下部可動部材にその一端下部を、該他方の下部可動部材と上下対応する前記他方の上部可動部材にその一端上部を、各々ヒンジ結合した、前記可動壁に直交する他の他方の側辺に移動して配される第二の可動側壁であって、他端を前記可動壁に対面する前記固定壁から代えた第二の可動壁の他端側にヒンジ結合した第二の可動側壁と、
該両可動側壁とヒンジ結合した前記固定壁から代えた第二の可動壁であって、その両端下部及び両端上部に、それぞれ前記第二の床部材の下部レール溝及び前記第二の天井部材の上部レール溝に移動自在に装入する従動部材を備えた第二の可動壁と、
前記屋根部材から対称他側に延長する第二の屋根部材であって、前記第二の天井部材の一辺側と他辺側の途中の該一辺側を屈曲垂下可能にした部位より外方までその先端を延長した第二の屋根部材と、
を構成した請求項１の折畳式簡易建物。
【発明の詳細な説明】
【技術分野】
【０００１】
本発明は、折り畳んで運び、使用する場所で展開することにより、建物として立ち上げ組み立てることができる折畳式簡易建物に関するものである。
【背景技術】
【０００２】
一時的に使用される運搬や設置が容易な簡易な建物は、種々の工事現場やイベント会場等で使用されている。このような簡易な建物には設置が容易な組立式のものが提供されているが、その中で、折畳式ものものいくつかの提案がある。
【０００３】
特許文献１は、その内の一つの例であり、床ユニットと梁ユニットと両ユニット間の４面を囲う各側壁板とからなる方形の建物に於いて、１方の相対向する側壁板を、その上下端部で床ユニットと屋根ユニットとに蝶着され、且つ中間の折線に従って内方に折りたたみ得るものに構成すると共に、他方の相対向する側壁板を、床ユニット又は屋根ユニットのいずれか１方に蝶着して内方に倒伏自在としてなる折畳式簡易建物を提案するものである。
【０００４】
この特許文献１の折畳式簡易建物によれば、要設置位置に該折り畳み式簡易建物を運んで、屋根ユニットを引き上げれば、折線で折れていた二面の側壁が立ち上がり、それを保持するようにすると共に、他の二面の側壁も引き起こし、その状態を保持するようにすれば、簡単に建物は使用可能な状態になる。それ故そのような利点がある。しかし二面の側板は、高さ方向の途中の折線で折れていたものを伸ばしたものであり、その強度に若干の不安がある。
【０００５】
特許文献２は、他の例であり、折り畳み式ユニットハウスの床を形成する床体と、前記床体に対して起伏可能に取り付けられる柱体と、前記柱体の起立によって支持される屋根と、前記柱体間に取り付け自在とされる複数の側壁とから構成され、前記柱体を倒伏させて屋根を積み重ねた際に床体と屋根との間に前記取り外された全ての側壁を収納できるスペースを有する折り畳み式ユニットハウスである。
【０００６】
従ってこの特許文献２の折り畳み式ユニットハウスによれば、比較的簡単にこのユニットハウスを組み立てることが可能であるが、単純にその屋根を持ち上げるような作業で組み立てることが可能なわけではなく、柱体を起こして、これによって屋根を支持させ、柱体の間に別に用意してある側壁をはめ込んで行くような作業が必要である。また解体後は屋根と床体の間に側壁を装入するような作業も必要であり、それほど簡単でもない。
【先行技術文献】
【特許文献】
【０００７】
【特許文献１】実開昭６１−１００７０１号公報
【特許文献２】特開２００８−１０１４０２号公報
【発明の概要】
【発明が解決しようとする課題】
【０００８】
本発明は、以上のような従来技術の問題点を解決し、折り畳んであった各構成要素を展開するのみの簡単な作業で組み立てが殆ど完了し、かつ強度的にも十分な強さを持つ折畳式簡易建物を提供することを解決の課題とする。
【課題を解決するための手段】
【０００９】
本発明の１は、一辺側と他辺側の途中で該一辺側を屈曲起立可能に構成した床部材であって、該一辺側及び他辺側に直交する両側辺上面に下部レール溝を構成した床部材と、
一辺側と他辺側の途中で該一辺側を屈曲垂下可能に構成した天井部材であって、該一辺側及び他辺側に直交する両側辺下面に上部レール溝を構成した天井部材と、
該床部材の該他辺側及び該天井部材の他辺側の間に立ち上げて配した固定壁と、
該床部材の該固定壁の両端内側の位置に立ち上げた柱部材と、
該両柱部材の間の該床部材を構成する横架材上に配した下部レール溝及び該両柱部材の間の該天井部材を構成する横架材の下面に構成した上部レール溝と、
該下部レール溝に配した二つの下部可動部材であって、各々該下部レール溝に沿ってその中央部から対応する柱部材までの間を移動自在であるように構成した下部可動部材及び該上部レール溝に配した二つの上部可動部材であって、各々該上部レール溝に沿ってその中央部から対応する柱部材までの間を移動自在であるように構成した上部可動部材と、
該一方の下部可動部材にその一端下部を、該一方の下部可動部材と上下対応する該一方の上部可動部材にその一端上部を、各々ヒンジ結合した、前記固定壁に直交する他の一方の側辺に移動して配される可動側壁であって、他端を前記固定壁に対面する可動壁の一端側にヒンジ結合した可動側壁と、
該他方の下部可動部材にその一端下部を、該他方の下部可動部材と上下対応する該他方の上部可動部材にその一端上部を、各々ヒンジ結合した、前記固定壁に直交する他の他方の側辺に移動して配される可動側壁であって、他端を前記固定壁に対面する該可動側壁の他端側にヒンジ結合した可動側壁と、
該両可動側壁とヒンジ結合した可動壁であって、その両端下部及び両端上部に、それぞれ前記床部材の下部レール溝及び前記天井部材の上部レール溝に移動自在に装入する従動部材を備えた可動壁と、
前記両柱部材の上端に固定した屋根部材であって、前記天井部材の一辺側と他辺側の途中の該一辺側を屈曲垂下可能にした部位より外方までその先端を延長した屋根部材と、
で構成した折畳式簡易建物である。
【００１０】
本発明の２は、本発明の１の折畳式式簡易建物において、
前記固定壁を第二の可動壁に代え、
前記両柱部材の中心間をつなぐ平面を対称の中心面として対称状態に、
一辺側と他辺側の途中で該一辺側を屈曲起立可能に構成した前記床部材から対称他側に延長する第二の床部材であって、該一辺側及び他辺側に直交する両側辺上面に下部レール溝を構成した第二床部材と、
一辺側と他辺側の途中で該一辺側を屈曲垂下可能に構成した前記天井部材から対称他側に延長する第二の天井部材であって、該一辺側及び他辺側に直交する両側辺下面に上部レール溝を構成した第二の天井部材と、
前記一方の下部可動部材にその一端下部を、該一方の下部可動部材と上下対応する前記一方の上部可動部材にその一端上部を、各々ヒンジ結合した、前記可動壁に直交する他の一方の側辺に移動して配される第二の可動側壁であって、他端を前記可動壁に対面する前記固定壁から代えた第二の可動壁の一端側にヒンジ結合した第二の可動側壁と、
前記他方の下部可動部材にその一端下部を、該他方の下部可動部材と上下対応する前記他方の上部可動部材にその一端上部を、各々ヒンジ結合した、前記可動壁に直交する他の他方の側辺に移動して配される第二の可動側壁であって、他端を前記可動壁に対面する前記固定壁から代えた第二の可動壁の他端側にヒンジ結合した第二の可動側壁と、
該両可動側壁とヒンジ結合した前記固定壁から代えた第二の可動壁であって、その両端下部及び両端上部に、それぞれ前記第二の床部材の下部レール溝及び前記第二の天井部材の上部レール溝に移動自在に装入する従動部材を備えた第二の可動壁と、
前記屋根部材から対称他側に延長する第二の屋根部材であって、前記第二の天井部材の一辺側と他辺側の途中の該一辺側を屈曲垂下可能にした部位より外方までその先端を延長した第二の屋根部材と、
を構成したものである。
【発明の効果】
【００１１】
本発明の１の折畳式簡易建物によれば、これを折り畳み状態にしておけば、コンパクトになり、トラック等の貨物自動車による運搬や倉庫での保管に極めて好都合である。
折り畳みは、前記二つの可動側壁を前記両柱部材間の下部レール溝及び上部レール溝に接してそれらと平行になる位置に移行させ、これによって、同時に、前記可動壁を、該下部レール溝及び上部レール溝に近接する位置にまで引き寄せ、この状態で、前記天井部材の前記一辺側を途中で屈曲垂下させ、かつ前記床部材の一辺側を途中で屈曲して立ち上げることで、容易にできる。こうして薄くコンパクトな状態に折り畳み、この状態をロックして保持することで、前記のように、トラック等の貨物自動車での運搬や、不使用時の倉庫等への保管が容易になる。
【００１２】
他方、上記折り畳んだ状態で、上記のように、トラック等の貨物自動車に積んで所要の場所に移動し、クレーン等で適切に配置した上で、前記天井部材の前記一辺側を水平状態に引き起こし、床部材の一辺側を水平状態に倒した上で、その状態をロックし、更に前記可動壁を前記固定壁と反対側に移動させ、両可動側壁を前者と直交する両側に移動させることにより、容易にこの折り畳み式簡易建物を組み立てることができる。
【００１３】
以上の可動壁の固定壁と反対側への移動は、同時に、両側の可動側壁の各々を対応する側部に移動させながら行う。各可動側壁は、その一端側は、該可動壁を以上のように移動させることにより、該可動壁に追従して固定壁と反対側に移動し、同時に他端側は天井部材と床部材の側辺側に移動しようとする。可動壁を固定壁と反対側に移動させるだけでは、可動側壁の他端側を容易には側辺側に移動させ難いので、同時に、そのような操作を行う。こうして、可動壁は、天井部材及び床部材の一辺側縁まで移動させ、両可動側壁はそれぞれ対応するその側辺側に移動させることができることになる。
【００１４】
可動壁の天井部材及び床部材の一辺側への移動は、前者の従動部材を、該天井部材及び該床部材の両側辺に構成した下部レール溝及び上部レール溝に移動自在に装入してあることにより、容易に行い得られるものである。また両可動側壁の前記上部可動部材及び下部可動部材にヒンジ結合した端部は、該上部可動部材及び下部可動部材が、前記二つの柱部材の間の上部の天井部材及び下部の床部材を構成する横架材に配した上部レール溝及び下部レール溝の各々に移動自在に配されているため、同様に、容易に、天井部材及び床部材の対応する側辺に移動することができる。
【００１５】
その後、それぞれを固定手段（ロック手段）で以上の状態に固定することにより、この折畳式簡易建物はその組み立て状態を維持することができる。以上の固定手段は、可動壁及び可動側壁を以上の展開組み立て状態又は折畳状態にそれぞれ固定できるどのような手段でも自由に採用することができる。
なお、窓又は出入口等は、可動壁、固定壁又は可動側壁のいずれか又はそれらの全部に構成することができる。
【００１６】
本発明の２の折畳式簡易建物は、前記二つの柱部材の中心間を結ぶ面を挟んで全く面対称に構成されており、他方、本発明の１の構成は、該二つの柱部材の中心間を結ぶ面の一方側に位置する構成である。従って本発明の２では、以上に説明した本発明の１の操作を両面で行えば、それぞれ該面の両側で全く同様に折り畳み、全く同様に展開して組み立てることが可能になるものである。もちろん、折り畳んだ場合は、ほぼ二倍の厚さになり、展開して建物を組み立てた場合はほぼ２倍のサイズになる。折り畳んだ場合及び展開して組み立てた場合のそれぞれの効果も同じである。
【図面の簡単な説明】
【００１７】
【図１】実施例１の折畳式簡易建物の折り畳み状態の平面説明図（天井部材以上は省略）。
【図２】実施例１の折畳式簡易建物の床部材を展開した状態の平面説明図（天井部材以上は省略）。
【図３】実施例１の折畳式簡易建物の、更に可動壁及び可動側壁を途中まで展開している状態の平面説明図（天井部材以上は省略）。
【図４】実施例１の折畳式簡易建物の、展開完了（組み立て完了）時点の状態の平面説明図（天井部材以上は省略）。
【図５】実施例１の折畳式簡易建物の折り畳み状態の側面説明図。
【図６】実施例１の折畳式簡易建物の床部材及び天井部材を展開した状態の側面説明図。
【図７】実施例１の折畳式簡易建物の、更に可動壁及び可動側壁を途中まで展開している状態の側面説明図。
【図８】実施例１の折畳式簡易建物の、展開完了（組み立て完了）時点の状態の側面説明図。
【図９】図１のＡ−Ａ線断面説明図。
【図１０】図１のＢ−Ｂ線拡大断面説明図。
【図１１】実施例２の折畳式簡易建物の折り畳み状態の平面説明図（天井部材以上は省略）。
【図１２】実施例２の折畳式簡易建物の床部材を展開した状態の平面説明図（天井部材以上は省略）。
【図１３】実施例２の折畳式簡易建物の、更に可動壁及び可動側壁を途中まで展開している状態の平面説明図（天井部材以上は省略）。
【図１４】実施例２の折畳式簡易建物の、展開完了（組み立て完了）時点の状態の平面説明図（天井部材以上は省略）。
【図１５】実施例２の折畳式簡易建物の折り畳み状態の側面説明図。
【図１６】実施例２の折畳式簡易建物の床部材及び天井部材を展開した状態の側面説明図。
【図１７】実施例２の折畳式簡易建物の、更に可動壁及び可動側壁を途中まで展開している状態の側面説明図。
【図１８】実施例２の折畳式簡易建物の、展開完了（組み立て完了）時点の状態の側面説明図。
【図１９】図１１のＣ−Ｃ線断面説明図。
【発明を実施するための形態】
【００１８】
本発明の折畳式簡易建物を実施するための形態を実施例に基づいて詳細に説明する。
【００１９】
＜実施例１＞
この実施例１の折畳式簡易建物は、図１〜図１０に示すように、基本的に、両側中央に立設した二つの柱部材１、１の中心軸間をつなぐ仮装平面を対称の中心面として対称状態に構成するものである。
上記二つの柱部材１、１は、それぞれ、床部材（床部材及び第二の床部材）２の側辺中央に立設する。
該床部材２は、前記仮装平面の一方側、図１〜図９中で、左側から説明すると、その外端辺（一辺側）と中央部側（他辺側）との途中、この実施例１では、概ね前記仮装平面から１／４程度の距離の部分で外端側と中央側とに分割し、その間にヒンジ２ｈ、２ｈを配して外端側を中央側に対して起伏自在に結合した構成としたものである。また該床部材２は、その両側辺の上面上に平行な各々二本の下部レール溝２ｍ、２ｍを構成してある。この下部レール溝２ｍ、２ｍは、特に図１０に示すように、組立時に床部材２の外端辺に配されることになる可動壁３の両端下部に転動自在に配してあるローラ３ｒ、３ｒがその中に転動移動自在に装入されるようになっている。
【００２０】
該床部材２は、前記仮装平面の両側に延びる全体に関して説明すると、その四辺及び中央の仮装平面の下部に沿って角材が配してあり、上記下部レール溝２ｍ、２ｍは、詳細には、その両側辺の角材上に各々構成されている。また前記二つの柱部材１、１は、該床部材２の中央部に配された角材（横架材）の両端上に立設されている。なお、該床部材２は、それらの角材をフレームとして床を構成する板材が配されて全体が構成されている。
【００２１】
該床部材２上には、特に図１〜図３及び図９に示すように、更に前記柱部材１、１の間に他の下部レール溝１ｍを構成する。この下部レール溝１ｍはこの位置に位置する角材（横架材）上に溝を形成して構成するものである。この下部レール溝１ｍには、同図に示すように、二つの下部可動部材４ａ、４ｂを該下部レール溝１ｍに沿って移動自在であるように設置する。該二つの下部可動部材４ａ、４ｂは、それぞれ該下部レール溝１ｍの長さ方向に沿って前後二つの転動自在なローラ４ａｒ、４ａｒ（４ｂｒ、４ｂｒ）を備えた部材であり、これによってスムーズに該下部レール溝１ｍ中を転動移動自在となっている。
【００２２】
前記柱部材１、１の上部には、図５〜図９に示すように、天井部材（天井部材及び第二の天井部材）５が固設される。
該天井部材５は、前記仮装平面の一方側、同図中で、左側から説明すると、その外端辺（一辺側）と中央側（他辺側）との途中、この実施例１では、概ね前記仮装平面から１／４程度の距離の部分で外端側と中央側とに分割し、その間にヒンジ５ｈ、５ｈを配して外端側を起伏垂下自在に結合した構成としたものである。また該天井部材５は、その両側辺の下面に、図示しない平行な各々二本の上部レール溝が構成してある。この上部レール溝は、前記下部レール溝２ｍ、２ｍと同様に、建物の組立時に床部材２及び天井部材５の外端に配されることになる可動壁３の両端上部に転動自在に配してある図示しないローラがその中に転動移動自在に装入されるようになっている。
【００２３】
該天井部材５は、前記仮装平面の両側に延びる全体に関して説明すると、その両側辺び中央の仮装平面の上部に沿って角材が配してあり、前記上部レール溝はその両側辺の角材の下面に各々構成されている。なお該上部レール溝は、前記床部材２の両側辺に構成してある下部レール溝２ｍ、２ｍと上下反転させた形状に構成したものであり、前記のように、可動壁３の両端上部に転動自在に配してあるローラがその中に転動移動自在に装入されるようになっている。なお、該天井部材５は、それらの角材をフレームとして屋根の一部（両端側）を構成する板材が配してある。この板材は、外方に向かって下降傾斜するように角材に取り付けてある。
【００２４】
前記二つの柱部材１、１の上端は、天井部材５の中央部に配された角材（横架材）の両端の下部に結合する。
該天井部材５の下面には、図５〜図９に示すように、更に前記柱部材１、１の間に上部レール溝１ｕｍを構成する。この上部レール溝１ｕｍはこの位置に位置する角材（横架材）の下面に溝を形成して構成するものである。この上部レール溝１ｕｍには、同図に示すように、二つの上部可動部材６ａ（６ｂ）を該上部レール溝１ｕｍに沿って移動自在に設置する。該二つの上部可動部材６ａ（６ｂ）は、それぞれ該上部レール溝１ｕｍの長さ方向に沿って前後二つの転動自在なローラ６ａｒ、６ａｒ（６ｂｒ、６ｂｒ）を備えた部材であり、これによってスムーズに該上部レール溝１ｕｍ中を転動移動自在となっている。
【００２５】
前記可動壁（可動壁又は第二の可動壁）３は、図１〜図９に示すように、前記床部材２及び天井部材５の下部レール溝２ｍ、２ｍ及び上部レール溝に、その両端の上部のローラ及び下部のローラ３ｒ、３ｒが転動自在に装入され、その中央部近傍から外端まで転動移動自在に構成されているものである。該可動壁３自体は角材フレームとそれに貼り付けた板材で構成したものである。
【００２６】
該可動壁３は、図１〜図８に示すように、その両側に各々可動側壁７と外ヒンジ３ｈ、３ｈを介して接続する。また各可動側壁７、７は、それぞれ内ヒンジ７ｈ、７ｈを介して前記下部可動部材４ａ、４ｂ及び前記上部可動部材６ａ（６ｂ）のそれぞれ一方ずつと接続する。
【００２７】
該可動側壁（可動側壁又は第二の可動側壁）７、７は、特に図４及び図８に示すように、それぞれ建物の組立時に、床部材２及び天井部材５の両側辺に位置する。図１〜図９に示すように、可動壁３に接続する側の端部は、該可動壁３の端部近傍と、前記のように、上下の外ヒンジ３ｈ、３ｈを介して接続し、前記下部可動部材４ａ、４ｂ及び上部可動部材６ａ（６ｂ）と接続する側の端部は、それぞれ該下部可動部材４ａ、４ｂと接続可能な最下部及び上部可動部材６ａ（６ｂ）と接続可能な最上部でそれぞれと前記内ヒンジ７ｈ、７ｈを介して接続したものである。従って、該下部可動部材４ａ、４ｂ及び上部可動部材６ａ（６ｂ）と接続した側の端部は前記下部レール溝１ｍ及び上部レール溝１ｕｍに沿って移動可能であり、前記可動壁３の端部近傍の動きに従って床部材２及び天井部材５の側辺に沿って移動可能となっている。なお、該可動側壁７、７は、その四辺に角材を配し、両面に板材を張って構成したものである。
【００２８】
前記下部可動部材４ａ、４ｂは、先に述べ、かつ図１〜図４及び図９に示すように、直方体状の部材で、その下部に、前後二つの転動自在なローラ４ａｒ、４ａｒ（４ｂｒ、４ｂｒ）を備えた部材である。該二つのローラ４ａｒ、４ａｒ（４ｂｒ、４ｂｒ）は、該下部可動部材４ａ、４ｂに、それぞれ前記下部レール溝１ｍの長さ方向に沿って並んだ状態に設置してある。該下部可動部材４ａ、４ｂは、前記のように、前記可動側壁７、７の一端の最下部に接続してあり、これによってそのローラ４ａｒ、４ａｒ（４ｂｒ、４ｂｒ）は下部レール溝１ｍから離脱しないようになっている。更にこれによって該下部可動部材４ａ、４ｂは、スムーズに該下部レール溝１ｍを移動可能となっている。
【００２９】
前記上部可動部材６ａ（６ｂ）は、以上の下部可動部材４ａ、４ｂと上下反転状態の構成であり、前記可動側壁７、７ともそのような反転状態の関係で接続しており、かつそのローラ６ａｒ、６ａｒ（６ｂｒ、６ｂｒ）も、そのような関係で、前記上部レール溝１ｕｍに配置されている。従って、これによって該上部可動部材６ａ（６ｂ）は、スムーズに該上部レール溝１ｕｍを移動可能となっている。
【００３０】
前記柱部材１、１の最上部には、図５〜図９に示すように、前記天井部材５の中央部の角材（横架材）を介して屋根部材（屋根部材及び第二の屋根部材）８を設置する。この屋根部材８は、以上のとおりであるから、前記仮装平面の直上に棟が位置する態様に構成し、その両側に延長する部分の外端は、前記天井部材５の外端辺側と中央側との境界を若干越えて外端辺側に若干被るところまで延長したものとする。
【００３１】
なお、以上において、この実施例１の折畳式簡易建物は、その全ての構成が、前記仮装平面を対称中心面としてその両側で対称となる構成である。図中では、両側の同一構成物又は部位は同一符号を付してある。
【００３２】
なおまた、この実施例１に於いて、特に材質をそれぞれ特定した説明をしなかったが、ヒンジやローラ等を除いては、木質である。もっとも、柱部材や角材は、これに代えて鉄骨を採用することもできる。材質は基本的に、必要な強度を確保できれば自由である。
【００３３】
窓や出入り口などに関しては、説明しなかったが、前記可動壁３、３や可動側壁７、７…に既存の技法によって構成することが可能である。
【００３４】
この実施例１の折畳式簡易建物によれば、これを容易にコンパクトに折り畳むことが可能であり、その結果、トラック等の貨物自動車での運搬や不使用時の倉庫等への保管に好都合である。
【００３５】
折り畳みは、例えば、以下のように行う。
図４及び図８に示すように、組立状態から、図示しないロック手段によるロックを解除した上で、前記可動側壁７、７の中央部側の端部を、前記上部レール溝１ｕｍ及び下部レール溝１ｍに沿って該上部レール溝１ｕｍ及び下部レール溝１ｍの中央側に動かす。これは、前記したように、該可動側壁７、７の該当部位に結合し、かつ該上部レール溝１ｕｍ又は下部レール溝１ｍに配された、上部可動部材６ａ（６ｂ）及び下部可動部材４ａ、４ｂの作用によって容易に行うことができる。
【００３６】
このように該可動側壁７、７を動かしながら、前記可動壁３を、床部材２及び天井部材５の外端の位置から前記仮装平面側に押す。そうすると、図３及び図７の過程を経て、図２及び図６に示すように、該可動側壁７、７が下部レール溝１ｍ及び上部レール溝１ｕｍに接して、これと平行状態になり、該可動壁３も、該可動側壁７、７と接してこれと平行状態になる。このような該可動壁３の動きは、その両端上部及び下部のローラ３ｒ、３ｒ等が床部材２の両側の下部レール溝２ｍ、２ｍ及び天井部材５の両側の上部レール溝に転動自在に装入されて、そのとおりに動作するからである。
【００３７】
この操作を、前記仮装平面の両側について行い、その後、図５及び図９に示すように、前記天井部材５の、該仮装平面の両側の前端辺側を、ロックを解除して屈曲垂下させ、更に、同図及び図１に示すように、前記床部材２の、該仮装平面の両側の前端辺側を起立させ、図示しないロック手段で、両者のその状態をロック保持状態とする。こうして折り畳み操作は完了である。このように折り畳めば、前記のように、運搬及び保管が容易に行えるようにになる。
【００３８】
他方、以上のように、折り畳んだ状態で、前記のように、トラック等の貨物自動車に積んで所要の場所に移動し、クレーン等で適切な設置位置に配置した上で、容易に展開し、組み立てることができる。
【００３９】
図１、図５及び図９の折り畳んだ状態から、図２及び図６に示すように、ロック手段を解除した上で、前記仮装平面の両側の天井部材５の外端側を引き起こし、かつ床部材２の外端側を倒す。またこの状態を保持するように、図示しないロック手段でロックする。
【００４０】
この後、図３及び図７に示すように、前記可動壁３を天井部材５及び床部材２の外端側に引っ張る。同時に、その両側の前記可動側壁７、７の前記上部可動部材６ａ（６ｂ）及び下部可動部材４ａ、４ｂと接続する側の端部をそれぞれ外側辺側（対応する柱部材１、１側）に移動させる。これを継続して行うと、図４及び図８に示すように、該可動壁３は、天井部材５及び床部材２の外端まで移動し、可動側壁７、７は、それぞれ、天井部材５及び床部材２の側辺に移動した状態になる。この段階で、この状態を保持すべく、図示しないロック手段でロックする。これを、前記仮装平面の両側について行えば、この実施例１の折畳式簡易建物の展開組立は完了である。
【００４１】
こうして、この実施例１の折畳式簡易建物は、仮設の建物として有用に使用することができる。また建物の躯体構造部分に屈曲部がないので、構造が強固である利点がある。
【００４２】
なお、窓や出入り口は、前記したように、可動壁３、３又は可動側壁７、７…のいずれかに設けておくことにより、人や物の出入りは、当然、可能であり、明かりを入れることも当然可能である。電気設備や、水道設備等も当然設置可能である。
【００４３】
＜実施例２＞
実施例２の折畳式簡易建物は、図１１〜図１９に示すように、基本的に、実施例１の仮装平面の一方側だけからなる構成である。同図中では、実施例１と同一構成の部分に関しては同一の符号が付してある。実施例１と同一の部分は簡略に説明し、異なる部分に関してのみ詳しく説明する。
【００４４】
この実施例２の折畳式簡易建物は、同図に示すように、かつ前記のように、前記仮装平面の一方側、同図中では、左側の構成は、実施例１のそれと全く同様である。境界である該仮装平面の直下及び直上並びに該境界から若干右側までは、右側を閉じる構成の都合上実施例１の該当する部位までと同様の構成が採用されている。
【００４５】
前記床部材２は、前記仮装平面の左側は実施例１のそれと全く同様の構成であり、右側は柱部材１、１を僅かに越える部位まで延長状態となっている。前記天井部材５も同様で、前記仮装平面の左側は実施例１のそれと全く同様の構成で、右側は柱部材１、１を僅かに越える部位まで延長状態となっている。また屋根部材８も、同様であり、前記仮装平面の左側は実施例１のそれと全く同様の構成で、右側は柱部材１、１を僅かに越える部位まで延長状態となっている。
【００４６】
柱部材１、１は、前記仮装平面の両側にまたがった位置に位置するが、これは、実施例１のそれと全く同様の構成である。また、この位置の内側上下に位置する、下部レール溝１ｍ、上部レール溝１ｕｍ、下部可動部材４ａ、４ｂ、上部可動部材６ａ（６ｂ）もまた実施例１のそれらと全く同様の構成である。なお、該下部可動部材４ａ、４ｂ及び該上部可動部材６ａ（６ｂ）は、それらの右側に可動側壁７、７がないので、それらとの接続関係がない点は実施例１のそれらと異なる。
【００４７】
前記仮装平面の左側に位置する、可動壁３及び可動側壁７、７並びにそれらに付属する種々の部材も又先に述べたとおり、実施例１のそれらと全く同様の構成である。
【００４８】
この実施例２では、実施例１とは異なる新しい部材が一つあり、これは、固定壁９である。この固定壁９は、図１１〜図１９に示すように、両側の前記柱部材１、１の右側に当接させ、右側に突出している床部材２の端部上に載せ、かつ右側に突出している天井部材５の端部下面に接して配し、その状態で固定し、建物の右側を閉じたものである。窓等の開口部や各部の材質その他に関しては、実施例１と同様である。
【００４９】
実施例２の折畳式簡易建物は、基本的に、前記仮装平面を中心平面として対称に構成した実施例１の片側（左側）だけの構成であるから、その用法も、片側だけの操作が行われるのみで、操作方法自体は同じである。
【００５０】
図１１、図１５及び図１９に示すように、折り畳めば、トラック等の貨物自動車での運搬や倉庫での保管に好都合であり、展開して組み立てれば、仮設の建物として安全且つ有用に使用することができる。小型になるのみで、実施例１の折畳式簡易建物と同様に有用に使用できる。
【００５１】
展開組立は、当然、所定の使用場所に運んだ上で行うものであるが、まず図１２及び図１６に示すように、床部材２の外端側を倒し、天井部材５の外端側を引き起こし、それぞれ図示しないロック手段でその状態にロックする。次いで、図１３及び図１７に示すように、可動壁３を床部材２及び天井部材５の外端側に引っ張り、同時に両可動側壁７、７の内端側をそれぞれ対応する柱部材１、１側に動かす。これらを必要なだけ継続し、図１４及び図１８に示すように、可動壁３を該床部材２及び天井部材５の外端まで移動させ、可動側壁７、７を床部材２及び天井部材５の両側に平行になるまで移動させ、それらの状態を図示しないロック手段でロックすると、展開組立は完了である。
【００５２】
折畳操作は、以上の逆の手順で行えばよい。
【産業上の利用可能性】
【００５３】
折畳式簡易建物の製造の分野で有用に利用することができる。
【符号の説明】
【００５４】
１    柱部材
１ｍ  二つの柱部材の間の床部材に配した下部レール溝
１ｕｍ  二つの柱部材の間の天井部材の下面に配した上部レール溝
２    床部材
２ｈ  床部材の外端側と中央側との境界のヒンジ
２ｍ  床部材の側辺の下部レール溝
３    可動壁
３ｈ  可動壁と可動側壁とを接続する外ヒンジ
３ｒ  可動壁の両端下部のローラ
４ａ、４ｂ  下部可動部材
４ａｒ、４ｂｒ  下部可動部材のローラ
５    天井部材
５ｈ  天井部材の外端側と中央側の境界に配したヒンジ
６ａ（６ｂ）  上部可動部材
６ａｒ（６ｂｒ）  上部可動部材のローラ
７    可動側壁
７ｈ  可動側壁と下部可動部材及び上部可動部材とを接続する内ヒンジ
８    屋根部材
９    固定壁
【図１】
2011137353.tif 000003
【図２】
2011137353.tif 000004
【図３】
2011137353.tif 000005
【図４】
2011137353.tif 000006
【図５】
2011137353.tif 000007
【図６】
2011137353.tif 000008
【図７】
2011137353.tif 000009
【図８】
2011137353.tif 000010
【図９】
2011137353.tif 000011
【図１０】
2011137353.tif 000012
【図１１】
2011137353.tif 000013
【図１２】
2011137353.tif 000014
【図１３】
2011137353.tif 000015
【図１４】
2011137353.tif 000016
【図１５】
2011137353.tif 000017
【図１６】
2011137353.tif 000018
【図１７】
2011137353.tif 000019
【図１８】
2011137353.tif 000020
【図１９】
2011137353.tif 000021